(57)【要約】      （修正有）【課題】撮影用途に応じて、長いジブでの撮影も、短いジブでの撮影も安価で一台で実現する撮影用クレーン装置を提供する。【解決手段】長さの異なったジブを取付部により脱着金具により固定され、１箇所又は２箇所同時にカメラを装着可能である。水平を維持したまま上下に移動可能に構成された撮影用クレーン装置であり、そのカメラが水平維持する機構にロングアームジブを使用する撮影の際に、モニターを装着でき、水平を維持したままモニターを見て撮影できる。ロングアームジブを脱着可能な取付部にジブを1本又は２本以上繋ぐことにより長さを変化させるジブ部を備え、長さの異なるプームが提供される。ジブを水平にした際に、ジブの竿に対して１０５ウエイト位置が上下に調整できる。ジブにウエイトスライド機構を装着でき、水中撮影時は、水面から下にカメラが潜った際にカメラハウジングの浮力の調整ができる。【選択図】図１
2018185376.tif 000002
【特許請求の範囲】
【請求項１】
カメラの水平を保つためジブを備える撮影用クレーン装置であって、
前記ジブは、通常使用の長さでの使用する方法と、ジブに長さの異なったジブを脱着装着運用することにより構成されており、
前記ジブは、長さの異なったジブを取付部により脱着金具により固定され、
１箇所または２箇所同時にカメラを装着可能に構成されている、撮影用クレーン装置。
【請求項２】
カメラの水平を保つためジブを備える撮影用クレーン装置であって、
前記ジブは、メインジブとサブジブを含み、
前記メインジブの中に前記サブジブが内蔵されているか、又は前記メインジブと前記サブジブの間の隙間が外部に露出して構成されており、
前記メインジブは、シャフト部１及びシャフト部２を備え、
前記メインジブを支持するジブ支点取付部は、シャフト部２を介して前記メインジブに固定され、
前記カメラは、シャフト部１を介して前記メインジブに固定され、
シャフト部１には、補助ジブ取付アーム１が固定され、
シャフト部２には、補助ジブ取付アーム２が固定され、
前記補助ジブアームは、補助ジブ取付可動部１を介して補助ジブ取付アーム１に固定され、且つ補助ジブ取付可動部２を介して補助ジブ取付アーム２が固定され、
補助ジブ取付アーム１及び補助ジブ取付アーム２に対する前記サブジブの角度が変化することによって前記カメラが水平を維持したまま上下に移動可能に構成されている、撮影用クレーン装置であり、そのカメラが水平維持する機構に
ロングアームジブを使用しての撮影の際にモニターを装着することを
可能に構成されている、請求項１記載の撮影用クレーン装置。
【請求項３】
前記ジブは、前記ジブに脱着可能なジブ取付部に取り付けるための金具を２箇所以上備える 
請求項１もしくは請求項２記載の撮影用クレーン装置。
【請求項４】
前記ジブは、前記ジブに脱着可能な取付部にジブを1本又は２本以上繋ぐことにより長さを変化させるジブ部を備える 
請求項１もしくは請求項２記載の撮影用クレーン装置。
【請求項５】
前記ジブは、前記ジブに脱着可能なジブの長さを伸縮機構で長さを変化させるジブ部を備える 
請求項１もしくは請求項２記載の撮影用クレーン装置。
【請求項６】
前記ジブは、前記ジブに伸縮機構で長さを変化させる機構を有するジブ部を備える 
請求項１もしくは請求項２記載の撮影用クレーン装置。
【請求項７】
カメラの水平を保つためジブを備える撮影用クレーン装置であって、
前記ジブは、メインジブとサブジブを含み、
前記メインジブの中に前記サブジブが内蔵されているか、又は前記メインジブと前記サブジブの間の隙間が外部に露出して構成されており、
前記メインジブは、シャフト部１及びシャフト部２を備え、
前記メインジブを支持するジブ支点取付部は、シャフト部２を介して前記メインジブに固定され、
前記カメラは、シャフト部１を介して前記メインジブに固定され、
シャフト部１には、補助ジブ取付アーム１が固定され、
シャフト部２には、補助ジブ取付アーム２が固定され、
前記補助ジブアームは、補助ジブ取付可動部１を介して補助ジブ取付アーム１に固定され、且つ第補助ジブ取付可動部２を介して補助ジブ取付アーム２が固定され、
補助ジブ取付アーム１及び補助ジブ取付アーム２に対する前記サブジブの角度が変化することによって前記カメラが水平を維持したまま上下に移動可能に構成されている、撮影用クレーン装置であり、
メインジブにロングアームジブ取付金具１、ロングアームジブ取付金具２介して前記第ロングアームジブ１段目がメインジブに固定され、任意の長さにおいて2段、3段、4段と接続でき、ロングアームジブ先端部の水平機構保持金具と
補助ジブアーム２が固定され、
シャフト部Cには、ジブ支点取付部延長金具が固定され、補助ジブアーム２と固定され
ロングアームジブ先端部の水平機構保持金具止めと第４サブジブ取付アームが固定され、
補助ジブ取付アーム１及び補助ジブ取付アーム２に対する前記サブジブの角度が変化することによって前記カメラが水平を維持したまま上下に移動可能に構成されている、撮影用クレーン装置請求項１もしくは請求項２記載の撮影用クレーン装置。
【請求項８】
前記ジブの後方にバランスウエイトの位置がジブを水平にした際に、ジブの竿に対してウエイト位置が上下に調整できる機構を備える 
請求項１もしくは請求項２記載の撮影用クレーン装置。 
【請求項９】
前記ジブの後方にバランスウエイトの位置がジブを水平にした際に、ジブの竿に対してウエイト位置が上下スライド調整できる機構を備える 
請求項１もしくは請求項２記載の撮影用クレーン装置。
【請求項１０】
前記ジブの後方にバランスウエイトの位置がジブを水平にした際に、ジブの竿に対してウエイト位置が上下に穴位置調整できる機構を備える 
請求項１もしくは請求項２記載の撮影用クレーン装置。
【請求項１１】
前記ジブにウエイトスライド機構を装着できるように構成され、水中撮影の際に前記ジブに脱着可能なロングアームジブ取付部に取り付けるためのポール部の先端に、取付けられたカメラハウジングが浮力により水面から下にカメラが潜った際に浮力の調整をするためのスライド式ウエイト機構を備える 
請求項１もしくは請求項２記載の撮影用クレーン装置。 
【請求項１２】
前記ジブにウエイトスライド機構を装着できるように構成され、水中撮影の際に前記ジブに脱着可能なロングアームジブ取付部に取り付けるためのポール部の先端に、取付けられたカメラハウジングの浮力により水面から下にカメラが潜った際に浮力の調整をするためのジブ部に支点から離れた場所を下に引っ張ることのできる機構を備える 
請求項１もしくは請求項 
２記載の撮影用クレーン装置。
【請求項１３】
前記ジブのロングアームジブのジブを2段、3段接続する際にロングアームジブとロングアームジブの接続部にコネクター接点を有する機構を備える請求項１もしくは請求項７記載の撮影用クレーン装置。
【発明の詳細な説明】
【技術分野】
【０００１】
本発明は、特に撮影者を中心とした狭い室内や小規模の撮影で、一定範囲内における 
上下左右の移動撮影を行う場合等に用いて好適な、撮影用クレーン装置と、簡単に撮影現場でジブの長さを変化させ、同じジブ本体でよりジブのアームの長い使用で使用し、位置が高い位置からのクレーン撮影に関する。 
【背景技術】
【０００２】
従来の撮影用クレーン装置は、大きく分けて３種類存在し、
まず１つ目は
旋回と上下運動をなすジブの先端にカメラを備え付ける 
形式で、ジブと補助ジブが存在し、上下に撮影用クレーンを動かした際にカメラが地 面に対して平行に動いて水平を保つことができるタイプのジブクレーン。
２つ目は
デジタル化が進み、小型高性能のデジタルカメラの出現によりポール状の長いジブの先にカメラを取付け、それを従来の映像制作用の既存の三脚雲台部のカメラが装着す場所に取付けるポール状のジブがある。 
３つめは大掛かりな１００kgを超える頑丈で長さのあるクレーン装置がある。
（たとえば非特許文献１〜３参照）。
【先行技術文献】
【非特許文献】
【０００３】
【非特許文献１】http://www.varizoom.com/focus-zoom-camera-lens-controls-s/1814.htm
【非特許文献２】http://www.acebil.co.jp/products/Jib/jib.html
【非特許文献３】http://www.shotoku.tv/jp/product/product_show?id=55&pro_id=161
【０００４】
現在、市販されている撮影用レーンにおいてはジブと補助ジブによりカメラ雲台を水平 
に保つことが可能である。 
【発明の概要】
【発明が解決しようとする課題】
【０００５】
ところで、撮影者を中心として機材の移動、セッティングに小規模の撮影用クレーン装置 で大きなテレビ用カメラ、映画用カメラ、一眼レフ等に搭載されている動画カメラ、手のひらサイズのカメラ、スポーツなどに使われる小型スローモーションカメラ等があり、様々なクレーン撮影手法が存在する。
また、高い位置からの撮影はドローンの出現も大きい。しかしドローンはスタジオ等では風切り音が出て、収録マイクにその風切り音が入ってしまい狭い場所では使用が困難なのと、電源の問題で長時間の使用に不向きである。
クレーンを使用する上で撮影者が求める種類には小型ジブクレーン、いわゆる1人で操作できる小型ジブクレーンと、ポール状のジブを使用した、これも1人で手軽に使用できる長さのあるジブ撮影装置。しかし、このポール状ジブクレーンは小型高性能デジタルカメラの出現により、大型ジブクレーンのかわりにポールなどを利用して、運用時長さだけを追求しているので、運用時そのポールを三脚に装着し、可動部をビデオ三脚を使用することにより手段を実現しているが三脚を利用するなど使い勝手と静止制度が良くない。
【０００６】
ところが、たとえばドキュメンタリーなどの撮影ではジブクレーン機材と、高い位置を撮影したりするもう一台のクレーンとの2台を用意して撮影のアングルによって使い分ける。 
【０００７】
ポール状ジブクレーンはポールなどを利用して、運用時そのポールを三脚に装着し、可動部をビデオ三脚を使用することにより手段を実現しているため、カメラを装着する前方のジブと、ジブの後ろにウエイトを装着して、そのバランスの取れた所にビデオ用三脚ヘッドに装着しますが、ビデオ用三脚にはバランサー機構、つまりバネの力が入っているためセンターリターンをしようとする力が働き、高所撮影の際は水平に戻そうという力が大きく働くため使い勝手が決して良いとは言えない。
【０００８】
スタジオでの大きなクレーンは機動性に欠け、重量があるため容易に室外やロケに持ち出せない。
【０００９】
本発明は上記事情に鑑みてなされたものであって、たとえば、撮影者を中心に少人数でセ ッティングができ、大きなショルダーカメラで撮影した低い位置からのシーンと、カーボン素材やアルミ素材を利用した軽量の長さの長い、例えば、低い位置のジブは対加重がありますが、ジブ長さが短くそのためジブ可動範囲が上下約１m、ポール状の長いジブをその上部に1.3mのカーボン素材のジブを４段繋げることにより5.2mのジブからの撮影ができるよう別体のクレーン装置などをもっていかずに、1台でジブで長さが短い撮影用クレーン撮影とジブの長さが任意に変えられ、装着ができ、長いポール状のジブを装着してもどの上下の位置でも静止できる撮影用ジブを提供することを目的としている。 また、ウエイトの位置が上下に移動することにより、今までにないジブクレーンの動きをすることができる。
【課題を解決するための手段】
【００１０】
本発明は上記目的を達成するためになされたもので、撮影用クレーン装置であって、カメ ラの水平を保つためのジブ（ブーム）がメインジブの中にサブジブの機構が内蔵されているか、又は前記メインジブと前記サブジブの間の隙間が外部に露出して構成され ているので、カメラの水平を維持できる機構により、提供される とともに、メインジブクレーンに長いジブアームが装着できる。
請求項１記載の撮影用クレーン装置。
【００１１】
本発明によれば、長いジブを装着した際に第１及び第２サブ ジブ取付アームに対する前記サブジブの角度 が変化することによって前記カメラが水平を維持したまま上下に移動可能に構成されている部分を利用しそのカメラが水平維持する機構に
モニターを装着することにより、上下にジブを動かした際にもいつもモニターが水平を保ち、撮影者が見易い体制で撮影することが提供される
請求項１もしくは請求項 
２記載の撮影用クレーン装置。
【００１２】
本発明によれば、前記ジブは、前記母体となるジブに長さの異なるジブを装着できるブラケット部 を２箇所以上備える。短いジブの上に長いジブが装着でき、ジブの長さが異なったアーム長が提供される。 
請求項１〜４のいずれか記載の撮影用クレーン装置。
【００１３】
本発明によれば、前記ジブは、前記ジブをジブ支点取付部に取り付けるためのシャフト部 を２つ以上備える。短いジブの上に長いジブが装着でき、ジブの長さがことなったアーム長が提供され、長いジブを装着した場合も、短いジブ同様カメラの水平が保たれるシャフトまたはワイヤーが提供される。 
請求項１〜４のいずれか記載の撮影用クレーン装置。
【００１４】
本発明によれば、前記ジブは、前記ジブをジブ支点取付部に取り付けるためのシャフト部 を２つ以上備える。短いジブの上に長いジブ複数が装着でき、この場合、ジブの長さがことなったアーム長が提供され、カメラ位置の高さが違う位置が少なくとも１ケ所、または２箇所以上のカメラ位置が同時に提供される。 
請求項１〜６のいずれか記載の撮影用クレーン装置。
【００１５】
本発明によれば、ジブの後方にバランスウエイトの位置がジブを水平にした際に、ジブの支点水平位置に対してウエイト位置が上下に調整できる機構を備える ことにより、 ジブの後方にバランスウエイトの位置がジブを水平にした際に上部にウエイトを移動した場合は
ジブが真中に戻ろうという力が働き、撮影場所をはなれても、ジブがいつも同じ位置に戻る力が働き、安全に運用することが提供される。
請求項７記載の撮影用クレーン装置。
【００１６】
本発明によれば、ジブの後方にバランスウエイトの位置がジブを水平にした際に、ジブの支点水平位置に対してウエイト位置が上下に調整できる機構を備える ことにより、 ジブの後方にバランスウエイトの位置がジブを水平にした際に下部にウエイトを移動した場合は
ジブが上に、若しくは下に行こうという力が働き続けるため、人間の手の感覚でいつもテンションがジブにかかっている状態なので、手にわずかな力をいれたまま上下に操作できるため、テンションがかかりっぱなしなので、任意にカメラを静止させた場合にバックラッシュがおきない、撮影運用することが提供される。
請求項８．９、１０記載の撮影用クレーン装置。
【００１７】
本発明によれば、ウエイトスライド機構を装着できるように構成され、特に水中撮影の際に、前記ジブ部の先端に取付けられたカメラハウジングが浮力により水面から下にカメラが潜ったさいに浮力の調整をするためのスライド式ウエイト機構により浮力に対して中性浮力をとることが可能である。また、ウエイトのバランスを微調整する役目も有する
請求項１１記載の撮影用クレーン装置。
【００１８】
本発明によれば、特に水中撮影の際に、前記ジブ部の先端に取付けられたカメラハウジングが浮力により水面から下にカメラが潜った際に浮力の調整によりカメラハウジングが水中に沈みにくいのを補助引っぱり部により支点からはなれた場所のジブを引っ張ることにより水中へ沈めることが可能である。
請求項１２記載の撮影用クレーン装置が提供される。 
【００１９】
本発明によれば、ロングアームジブを任意の長さで組み立てる際、ロングアームジブの接合部に電気接点を有し、カメラへの電源、制御信号、タリー信号、カメラからの映像信号の接点を有し、その全てまたは１つ以上の信号を受け渡しすることができ、1段目と先端部のロングアームジブに外部への信号コネクタを有することを特徴とする、
請求項１３記載の撮影用クレーン装置が提供される。
【００２０】
このように本発明者はジブの使用にあたり、様々な撮影シーンが別々のジブクレーンで撮影されていることに気づいた。 また、ウエイトの位置をジブのカメラ取付部とウエイト部が従来一直線状にしか存在せず、そのウエイト位置をジブのカメラ取付部とウエイト部が従来一直線状から上部にウエイトをずらすと真中にジブが戻る習性と、ウエイト位置をジブのカメラ取付部とウエイト部が従来一直線状から下部にウエイトをずらすとジブが上か下のどちらかにしか動こうとしない法則に気づいた。
【００２１】
そしてこのクレーンを使用すれば撮影のセッティングを１人でも実現でき、長いジブが簡単に取付けられるため、ジブ長さが長くなり、上下の撮影範囲が大きくなる。短いままのジブでセッティングした場 合はスイング幅が小さくなるが、重たいカメラの搭載ができることにより、低い位置から高い位置の撮影までほとんど全てのジブ撮影シーンをこれ一台で行えるよう完成に至った。 
【発明の効果】
【００２２】
以上の説明で明らかなように、本発明によれば、メインジブの本体に長いジブが装着でき1台で重量のあるカメラを低い位置で使用することと、軽いカメラを長いジブで使用可能に構成されているため、撮影用途にあわせたクレーン撮影がこれ一台で実現する。特に一般的に使われるポール状のクレーンは三脚に装着して使用するため、三脚はバネの力で水平に戻ろうとする力が強く働くため、これは大型カメラは重量が８Kg〜１５Kg前後と重く、その思いカメラがチルトした際、カウンターバランス機構という機能が働き、チルトをどの角度で止めても静止する機能が働くため、ポール状のジブは後ろにウエイトをつけバランスをとるので、カウンターバランス分の水平に戻ろうとするバネの力が残ってしまい、高い位置を撮影するのは業務用ビデオカメラの三脚の性質上非常に使いづらい。モニターを取り付けて運用する場合も、水平を保つことが実現でき、撮影者が見やすい。また、このシステムはどの位置でも短いジブでも、長さをながくしたジブの状態でも上から下まで可動範囲では静止するので使いやすい。その上、ジブのバランスを撮る際にジブを水平にしてウエイト位置を上下に調整できるので、ジブバランス調整する段階でジブを水平にしたままで上にウエイト位置を調整した場合、ジブの真中にもどる性質を利用することによりアームがいつも同じような位置に戻る為、ジブのロックをかけなくてもジブから手を離すと真ん中に戻る習性が利用できるため安全性が確保される。 ジブバランス調整する段階でジブを水平にしたままで下にウエイト位置を調整した場合、ジブの上又は下に動く性質を利用することによりアームがいつも上いっぱい又は下いっぱいに移動するため、下に動かす範囲、つまり支軸に対して少し下にした倍は上又は下にいくちからが弱くできるので、カメラマンがいつもテンションをかけたまま撮影でき、バックラッシュがめほとんどない手による操作ができ非常に滑らかな撮影画面が撮影できる。また、このウエイトの位置を上下にすることにより、水中撮影では浮力の調整ができるようになり、撮影時のカメラマンの疲労を和らげることができる。ハウジングが少し大きめの場合は、浮力が大きく、その場合、ポールを下に引っ張る機構により、手でその引っ張る機構を下にしたり、引っ張る機構に足がかけれる様にして水中に瞬時に入れることも可能になる。ウエイトスライド機構を使用しても同じ効果が得られ、使用しやすい。
【図面の簡単な説明】
【００２３】
【図１】本発明の一実施例の図である。より詳しくは、図１は本発明に係る本実施例 のクレーン装置の全体を示している。ロングアームジブ装着図である。複数段をつないで使用するが、この図は４段を想定し、２段目３段目を割愛した図である。点線の部分は 機構の透写図である。
【図２】本発明の一実施例の図である。より詳しくは、 図１ロングアームジブ未装着の図である。点線の部分は機構の透写図である。
【図３】本発明のロングアームジブの構成例図である。より詳しくは、図３は本発明に係る 本実施例のロングアームジブの全体を示し、メインジブにモニターを取り付けた時の図である。点線の部分は機構の透写図である。
【図４】本発明の一実施例でロングジブアームを装着した状態の図である。より詳し くは、図４は本発明に係る本実施例のクレーン装置の全体を示し、ジブの支点が真ん 中で、カメラの水平保持機構を装着した時の状態の図である。
【図５】本発明の一実施例でより詳しくはウエイト標準仕様時の装着状態の図である。
【図６】本発明の一実施例でより詳しくはウエイトのバランスを上に装着状態の図である。
【図７】本発明の一実施例でより詳しくはウエイトのバランスを下に装着状態の図である。
【図８】本発明の一実施例でより詳しくは補助引っぱり部を有する状態の図である。
【図９】本発明の一実施例でより詳しくはロングアームジブ使用例である。
【発明を実施するための形態】
【００２４】
以下に本発明の実施の形態を添付の図面に基づいて説明する。図１示すＡＡジブ（メイ 
ンジブ）に１０７三脚部から１０６ジブ支点取付部が構成され、Ｃシャフト２部支点と１１２ 補助ジブ取付アーム２が常備固定され、（つまり三脚の１０６ジブ支点取付部取付可動部を装 着したAシャフト部はたえず固定されている）ジブを上下（カメラを上 
下）した際に１０１補助ジブアーム（サブジブ）がＡＡジブと平行に動くためＡシャフト部１とＣシャフト部２はＡＡジ ブが上下に動かしても水平がいつも維持されている。１０２雲台取付台に１０３ビデオ雲 台を取付け、ＢＢビデオカメラを取付ける。 
ロングアームジブを取り付ける場合、AAジブに１１０ロングアームジブ取付金具２と１０９ロングアームジブ取付金具１よりロングアームジブ1段目を取り付ける。撮影現場によって、ングアームジブ1から4段、時には５段目を取付ける。ロングアームジブの先端に108ビデオカメラを装着する。CCビデオカメラ２と
っBビデオカメラは同時使用可能である。AAジブを水平にして105バランスウエイトの位置を104ウエイトバランス調整用シャフトの長さを調整してウエイト側とカメラ側バランスを調整する。
【００２５】
図２は撮影用クレーン装置の全体を示し、短いジブで使用する場合の図である。BBビデオカメラの搭載重量により１０４ウエイトの重さを変えて調整する。
ジブアームが短い場合は重量が重たいカメラが搭載できるという利点がある。 
【００２６】
図３に１１３モニターが装置した場合の図である。また、ロングアームジブ１段目から４段目まで繋いだ様子である。ロングアームジブは１段目と先端の部分以外はロングアームジブの長さを多くすることも、少なくすることもできる。
【００２７】
図４は図１の実施形態に114シブ支点取付延長金具を装着し、ロングジブアームの先端に１１５水平機構保持金具を取り付け、115T水平取付保持金具と１１４ジブ支点取付部延長金具を117を補助ジブアーム２を固定する。１１５水平機構保持金具と１１７補助ジブアームのジョイント部は稼働する。１１７補助ジブアーム２と１１４支点取付部延長金具のジョイント部も稼働する。これによりチルトした際も１０８ビデオカメラの水平は維持される。
【００２８】
図５、図６、図７はウエイト位置装着例の図である。図５は標準の装着方法で、支点に対して、ジブを水平にした際にウエイトの中心と支点の中心は並行になる。並行の場合はジブアームをチルトした際、ウエイト側とカメラ側がバランスしている場合はどの角度でも綺麗に静止する。
図６の場合はウエイトが支点に対して、ジブを水平にした際にウエイトの中心と支点の中心はウエイトが上になる。ウエイトをジブを水平にした際にウエイトの中心と支点の中心より上にした場合は手を離した際に 水平に戻る習性が生まれる。これにより、手を離した時でもいつも同じような位置に戻るので、図９のような水泳などの撮影水面ギリギリでの撮影が多く、とても便利である。
図７は支点に対して、ジブを水平にした際にウエイトの中心と支点の中心は下になる。
下にして並行をとると、中立点を境に上に少しでも動かした場合は上に行く習性が生まれ、下に少しでも動かした場合は下に行く習性が生まれる。ウエイトはスライドして上下にしても良いし、支点から弧を描くような金具でもよい。
【００２９】
図８は１１６モニター取付金具を装着した図で、ジブ本体と並行に動くためモニターの角度がいつも一定の角度になる。図９のような使い方をした場合、ジブアームを上にあげた場合、ブームにモニターを固定するとブーム角度をあげた場合非常に見づらくないる。１１８補助引っ張り部は特に水中撮影の際、水中ハウジングに浮力があるため、大気中と水中では水中に潜りづらい状況が生まれる。それを解消するためにジブ本体に装着られた１２１スライドウエイト固定金具に１２１スライドシャフトが位置しそのスライドシャフトに１１９スライドシャフトがスライドする。水中時だけでなく、スライド機構によりバランスをとった後の微調整に威力を発揮する。このバランスウエイトの位置はジブ本体の前側でも後ろ側でも支点をまたいで実現しても良い。また、垂直部に取り付けることにより図６、図７の調整にも使用しても良い。
【符号の説明】
【００３０】
aシステム全体構成１例
bメインジブでの構成例
cロングアームジブの構成例
dウエイト標準位置装着例
ＡＡシステム全体  
ＢＢビデオカメラ 
ＣＣビデオカメラ２ 
Ａ第１シャフト部  
Ｂ補助ジブ取付可動部１  
Ｃ第２シャフト部   
Ｄ補助ジブ取付可動部２  
Ｅウエイト上下 バランス 移動機構  
Ｆロングアームジブ１段目 
Gロングアームジブ2段目 
Hロングアームジブ3段目 
I ロングアームジブ4段目 
１０１補助ジブアーム（サブジブ）  
１０２雲台取付台  
１０３ビデオ雲台  
１０４ウエイトバランス調整シャフト 
１０５ウエイト  
１０６ジブ支点取付部  
１０７三脚部  
１０８ビデオカメラ取付金具 
１０９ロングアームジブ取付金具１  
１１０ロングアームジブ取付金具2 
１１１補助ジブ取付アーム１  
１１２補助ジブ取付アーム２  
１１３モニター
１１４ジブ支点取付部延長金具
１１５水平機構保持金具
１１６モニター取付金具  
１１７補助ジブアーム２（サブジブ）
１１８ 補助引っぱり部 
１１９ スライドウエイト
１２０スライドウエイト固定ネジ
１２１スライドウエイトシャフト
１２１スライドウエイト固定金具
【図１】
2018185376.tif 000003
【図２】
2018185376.tif 000004
【図３】
2018185376.tif 000005
【図４】
2018185376.tif 000006
【図５】
2018185376.tif 000007
【図６】
2018185376.tif 000008
【図７】
2018185376.tif 000009
【図８】
2018185376.tif 000010
【図９】
2018185376.tif 000011
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
カメラの水平を保つためジブを備える撮影用クレーン装置であって、
前記ジブは、脱着金具によりロングアームジブを前記ジブと並列に固定可能に構成されており、
前記ロングアームジブは、前記ジブとは長さが異なり、
前記ジブと前記ロングアームジブは、それぞれ、カメラを装着可能に構成されている、撮影用クレーン装置。
【請求項２】
前記ジブは、前記脱着金具を２箇所以上備える、請求項１に記載の撮影用クレーン装置。
【請求項３】
前記ロングアームジブは、１本の部材のみで構成するか、互いに連結可能な複数本の部材を連結して構成するかによって長さを変化させることができるように構成される、請求項１又は請求項２に記載の撮影用クレーン装置。
【請求項４】
前記複数本の部材は、コネクター接点を介して互いに連結可能に構成されている、請求項３に記載の撮影用クレーン装置。
【請求項５】
前記ロングアームジブは、伸縮機構によって長さを変化させることができるように構成される、請求項１又は請求項２に記載の撮影用クレーン装置。
【請求項６】
前記ジブは、メインジブとサブジブを含み、
前記メインジブの中に前記サブジブが内蔵されているか、又は前記メインジブと前記サブジブの間の隙間が外部に露出して構成されており、
前記メインジブは、シャフト部１及びシャフト部２を備え、
前記メインジブを支持するジブ支点取付部は、シャフト部２を介して前記メインジブに固定され、
前記カメラは、シャフト部１を介して前記メインジブに固定され、
シャフト部１には、補助ジブ取付アーム１が固定され、
シャフト部２には、補助ジブ取付アーム２が固定され、
前記サブジブは、補助ジブ取付可動部１を介して補助ジブ取付アーム１に固定され、且つ補助ジブ取付可動部２を介して補助ジブ取付アーム２が固定され、
補助ジブ取付アーム１及び補助ジブ取付アーム２に対する前記サブジブの角度が変化することによって前記カメラが水平を維持したまま上下に移動可能に構成されている、撮影用クレーン装置であり、そのカメラが水平維持する機構に前記ロングアームジブを使用しての撮影の際にモニターを装着することを可能に構成されている、請求項１〜請求項５の何れか１つ記載の撮影用クレーン装置。
【請求項７】
前記ロングアームジブは、互いに連結可能なロングアームジブ１段目〜４段目を備え、
前記メインジブにロングアームジブ取付金具１、ロングアームジブ取付金具２介して前記ロングアームジブ１段目がメインジブに固定され、前記ロングアームジブ１段目には、前記ロングアームジブ２段目、３段目及び４段目が順次連結可能である、請求項６に記載の撮影用クレーン装置。
【請求項８】
前記ロングアームジブの先端部には、水平機構保持金具と補助ジブアーム２が固定され、
前記シャフト部２には、ジブ支点取付部延長金具が固定され、ジブ支点取付部延長金具が前記補助ジブアーム２と固定される、請求項６又は請求項７に記載の撮影用クレーン装置。
【請求項９】
前記ジブの後方にバランスウエイトの位置がジブを水平にした際に、ジブの竿に対してウエイト位置が上下に調整できる調整機構を備える、請求項１〜請求項８の何れか１つに記載の撮影用クレーン装置。 
【請求項１０】
前記調整機構は、前記ジブの後方にバランスウエイトの位置がジブを水平にした際に、ジブの竿に対してウエイト位置が上下スライド調整できる機構である、請求項９に記載の撮影用クレーン装置。
【請求項１１】
前記調整機構は、前記ジブの後方にバランスウエイトの位置がジブを水平にした際に、ジブの竿に対してウエイト位置が上下に穴位置調整できる機構である、請求項９に記載の撮影用クレーン装置。
【請求項１２】
前記ジブにウエイトスライド機構を装着できるように構成され、水中撮影の際に前記ジブに脱着可能なロングアームジブ取付部に取り付けるためのポール部の先端に、取付けられたカメラハウジングが浮力により水面から下にカメラが潜った際に浮力の調整をするためのスライド式ウエイト機構を備える、請求項１〜請求項１１の何れか１つに記載の撮影用クレーン装置。 
【請求項１３】
前記ジブにウエイトスライド機構を装着できるように構成され、水中撮影の際に前記ジブに脱着可能なロングアームジブ取付部に取り付けるためのポール部の先端に、取付けられたカメラハウジングの浮力により水面から下にカメラが潜った際に浮力の調整をするためのジブ部に支点から離れた場所を下に引っ張ることのできる機構を備える、請求項１〜請求項１１の何れか１つに記載の撮影用クレーン装置。